(57)【要約】【課題】本発明は、水を濾過すると共にマイナスイオンを含むイオン水を生成するイオン水生成装置に関し、特に貴陽石を使用したイオン水生成装置を提供するものである。【解決手段】イオン水生成装置１は、基台６及び貴陽石カートリッジ７で構成され、ホース４を通して供給される水道水は、基台６を通り貴陽石カートリッジ７に入り、貴陽石カートリッジ６内に形成されたＡ層、Ｂ層、Ｃ層、Ｄ層を順に流れ、各層の充填材によって水道水が加工され、特にＢ層に充填された貴陽石１２によって水道水がイオン化され、健康によく、飲みやすい水になる。【選択図】      図１
2004344690.tif 000002
【特許請求の範囲】
【請求項１】
水道水にミネラル分を付与すると共に、マイナスイオン水を生成する装置であり、
少なくとも貴陽石が充填された層を有し、前記水道水にマイナスイオンを付与すると共に、界面活性力や酵素活性力を向上させたことを特徴とするイオン水生成装置。
【請求項２】
前記貴陽石が充填された層以外に、抗菌活性炭が充填された層を含むことを特徴とする請求項１記載のイオン水生成装置。
【請求項３】
前記貴陽石が充填された層以外に、サンゴ石が充填された層を含むことを特徴とする請求項１、又は２記載のイオン水生成装置。
【請求項４】
前記貴陽石が充填された層以外に、固形硫酸カルシウムが充填された層を含むことを特徴とする請求項１、２、又は３記載のイオン水生成装置。
【請求項５】
前記固形硫酸カルシウムが充填された層、前記貴陽石が充填された層、前記サンゴ石が充填された層、前記抗菌活性炭が充填された層は、カートリッジに収納され、各層は不織布で仕切られていることを特徴とする請求項４記載のイオン水生成装置。
【請求項６】
前記固形硫酸カルシウムが充填された層、前記貴陽石が充填された層、前記サンゴ石が充填された層、前記抗菌活性炭が充填された層は、前記カートリッジ内で該順序に従って下から上に積層されていることを特徴とする請求項５記載のイオン水生成装置。
【発明の詳細な説明】
【０００１】
【発明の属する技術分野】
本発明は、水を濾過すると同時にミネラル分を付与し、貴陽石を使用してマイナスイオンを含むイオン水を生成するイオン水生成装置に関する。
【０００２】
【従来の技術】
今日、各地の天然水が話題になり、特に鉱物成分を含むミネラル水は健康にもよく、飲みやすい水として需要が高い。特許文献１はこのようなミネラル水を生成する装置を開示する。この発明は、活性炭が封入された活性炭ケースと、中空糸膜を保持する中空糸膜ケースとを一体構成し、活性炭又は抗菌活性炭ケースに設けた給水口から水を流入し、活性炭により残留塩素等及び雑菌類を除去し、ミネラル水を生成する装置である。
【０００３】
【特許文献１】
特開平１−１３５５８３号公報
【０００４】
【発明が解決しようとする課題】
上記従来例の発明では活性炭が使用され、ミネラル水としての意味はある。しかし、より健康によい水である点については充分ではない。例えば、近年貴陽石が注目され、大きな効能が期待されている。貴陽石は天然イオン石であり、約６５００万年前の地殻変動に伴う高温熱水作用によって形成された特殊鉱物であり、マイナスイオンの発生量が他の鉱物より圧倒的に多く、また遠赤外線は常温（２５℃）で高い放射率を示し、また大きな放射作用を有する。
【０００５】
そこで、本発明は上記課題を解決すべくなされたものであり、貴陽石をミネラル水生成装置に使用し、マイナスイオンを含み健康によく、飲みやすい水を生成するイオン水生成装置を提供するものである。
【０００６】
【課題を解決するための手段】
上記課題は、請求項１記載の発明によれば、水道水をイオン化するイオン水生成装置であり、少なくとも貴陽石が充填された層を有し、前記水道水をイオン化するイオン水生成装置を提供することによって達成できる。
【０００７】
このように構成することにより、水道水は貴陽石によってマイナスイオン化され、高い放射率の遠赤外線を受け、飲みやすく健康によい水になる。
請求項２の記載は、前記請求項１記載の発明において、前記貴陽石が充填された層以外に、抗菌活性炭が充填された層を含む構成である。
【０００８】
このように構成することにより、水道水に含まれる残留塩素を除去し、抗菌処理を行うことができる。
請求項３の記載は、前記請求項１、又は２の記載において、前記貴陽石が充填された層以外に、サンゴ石が充填された層を含む構成である。
【０００９】
このように構成することにより、水道水にミネラル成分を抽出することができる。
請求項４の記載は、前記請求項１、２、又は３の記載において、前記貴陽石が充填された層以外に、固形硫酸カルシウムが充填された層を含む構成である。
【００１０】
このように構成することにより、水道水にカルシウム成分を抽出することができる。
請求項５の記載は、前記請求項１、２、３、又は４の記載において、前記固形硫酸カルシウムが充填された層、前記貴陽石が充填された層、前記サンゴ石が充填された層、前記抗菌活性炭が充填された層は、カートリッジに収納され、各層は不織布で仕切られている構成である。
【００１１】
また、請求項６の記載は、前記請求項５の記載において、前記固形硫酸カルシウムが充填された層、前記貴陽石が充填された層、前記サンゴ石が充填された層、前記抗菌活性炭が充填された層は、前記カートリッジ内に前記順序で下から上に積層されている構成である。
【００１２】
このように構成することにより、各層に充填された充填材によって水道水は加工され、特に貴陽石の充填により水道水がイオン化され、飲みやすく、健康によい水を生成することができる。
【００１３】
【発明の実施の形態】
以下、本発明のイオン水生成装置について、図面を参照しながら実施形態を詳述する。
【００１４】
図１は本発明のイオン水生成装置の外観構成図であり、イオン水生成装置１の下方には給水部２が設けられ、上方にはイオン水の出力部３が設けられている。イオン水生成装置１の給水部２にはホース４が取り付けられ、ホース４の他端は不図示の蛇口に取り付けられている。一方、出力部３からはイオン水生成装置１内の貴陽石によってイオン化されたイオン水が吐出する。
【００１５】
図２は上記外観構成のイオン水生成装置１の内部構成を示す図である。同図において、イオン水生成装置１は、筐体５内に基台６、及び貴陽石カートリッジ７を配設して構成されている。貴陽石カートリッジ７は基台６に着脱可能に取付けられている。
【００１６】
基台６の上面には、大径部、中継部、小径部と順次縮径された凹部が形成されており、不図示の蛇口に接続された前述のホース４から供給される水は、給水口８を通して基台６内に入る。
【００１７】
貴陽石カートリッジ７は同図に示すように円筒状に形成され、内部に貴陽石や抗菌活性炭等が充填されている。図３は貴陽石カートリッジ７の断面構成を示す。
【００１８】
貴陽石カートリッジ７はＡ〜Ｄの４層に分かれ、下からＡ層、Ｂ層、Ｃ層、Ｄ層の順に各層が形成されている。先ず、Ａ層には固形の硫酸カルシウム１０と、この硫酸カルシウム１０を包むように抗菌活性炭１１が充填され、水道水の残留塩素成分を除去すると共に、カルシウムを溶出させる。
【００１９】
次に、Ｂ層には貴陽石１２が充填され、水道水にマイナスイオンを注入し、遠赤外線を放射する。尚、貴陽石１２は水の通過を考慮して所定の粒径に加工されている。また、Ｃ層にはサンゴ石１３が充填され、水道水にミネラル成分を注入する。さらに、Ｄ層には抗菌活性炭１４が充填され、水道水中の残留塩素を吸着して除去すると共に、雑菌を除去する。
【００２０】
一方、貴陽石カートリッジ７の下面には不織布９が配設され、Ａ層とＢ層間にも不織布１５が配設され、フィルタとして機能する。また、同様にＣ層とＤ層間にも不織布１６が配設され、フィルタとして機能する。
【００２１】
また、Ｄ層の上部、即ち貴陽石カートリッジ７の上部には塩素成分が除去され、イオン化された水道水の吐出口１７が形成されている。そして、吐出口１７から前述の図１に示す出力口３まで、不図示の導通管が配設され、イオン化された水を吐出口１７から出力口３まで導く。
【００２２】
以上の構成において、以下に本例による水道水のイオン化処理を説明する。
先ず、ホース４の一端を水道の蛇口に接続し、蛇口を開くと、水道水はホース４を通して基台６の給水口８に流入し、更に基台６から貴陽石カートリッジ７に流入する。
【００２３】
貴陽石カートリッジ７に流入した水道水は、貴陽石カートリッジ７の下面に設けられた不織布９を透過してＡ層に入る。そして、Ａ層を上昇し、この間抗菌活性炭１１によって水道水中の残留塩素と雑菌が除去され、更に硫酸カルシウム１０からカルシウム成分が溶出する。
【００２４】
その後、不織布１５を透過してＢ層に入り、Ｂ層に充填された貴陽石１２を通過することによって、水道水はマイナスイオン化され、高い放射率の遠赤外線が付与される。さらに、Ｃ層に流入し、サンゴ石１３によって、ミネラル成分が溶出される。
【００２５】
その後、不織布１６を透過し、Ｄ層に入った水道水は抗菌活性炭１４によって再度残留塩素と雑菌が除去された後、前述の吐出口１７から導通管を通して出力口３まで導かれ、イオン化等の各種処理が施された水を得ることができる。
【００２６】
以上のように、本例のイオン水生成装置は、水道水に含まれる残留塩素を除去するだけでなく、貴陽石１２を通過させることによって、水道水をマイナスイオン化し、高い放射率の遠赤外線を付与し、飲みやすく健康によい水を生成することができる。
【００２７】
【発明の効果】
以上説明したように、本発明によれば水道水にミネラルとマイナスイオンを含ませ、更に界面活性力と酵素活性力を高め、飲みやすく健康によい水を提供することができる。
【図面の簡単な説明】
【図１】本発明のイオン水生成装置の外観構成図である。
【図２】イオン水生成装置の内部構成図である。
【図３】貴陽石カートリッジの断面構成を説明する図である。
【符号の説明】
１  イオン水生成装置
２  給水部
３  出力部
４  ホース
５  基台
６  貴陽石カートリッジ
８  給水口
９  不織布
１０  硫酸カルシウム
１１  抗菌活性炭
１２  貴陽石
１３  サンゴ石
１４  抗菌活性炭
１５  不織布
１６  不織布
１７  吐出口
【図１】
2004344690.tif 000003
【図２】
2004344690.tif 000004
【図３】
2004344690.tif 000005